(57)【要約】【課題】スライド部材の隆起部を軸筒先端方向にスライドし易く、且つ隆起部にヒケや歪みが発生し難いスライド式の多芯筆記具を提供する。【解決手段】軸筒内に、複数の筆記体をコイルスプリングにより軸筒後端方向に付勢し配設し、各筆記体の後端に装着したスライド部材の隆起部が、軸筒後端部に一体または付設部材に形成した窓部より外方に突出した状態で摺動自在に収納し、前記隆起部を軸筒先端方向にスライドすることによって、前記筆記体の筆記先端部を軸筒先端開口部より出没可能なスライド式の多芯筆記具において、前記スライド部材の隆起部が、縦断面を略円弧形状とするとともに、少なくとも前記隆起部の頂面に、軸筒先端方向に向かって延びる凹部を形成したことを特徴とする。【選択図】        図１
2008132706.tif 000002
【特許請求の範囲】
【請求項１】
軸筒内に、複数の筆記体をコイルスプリングにより軸筒後端方向に付勢し配設し、各筆記体の後端に装着したスライド部材の隆起部が、軸筒後端部に一体または付設部材に形成した窓部より外方に突出した状態で摺動自在に収納し、前記隆起部を軸筒先端方向にスライドすることによって、前記筆記体の筆記先端部を軸筒先端開口部より出没可能なスライド式の多芯筆記具において、前記スライド部材の隆起部が、縦断面を略円弧形状とするとともに、少なくとも前記隆起部の頂面に、軸筒先端方向に向かって延びる凹部を形成したことを特徴とするスライド式の多芯筆記具。
【請求項２】
前記隆起部の凹部の壁面が、略円弧形状であることを特徴とする請求項１に記載のスライド式の多芯筆記具。
【発明の詳細な説明】
【技術分野】
【０００１】
本発明は、軸筒内に、複数の筆記体を配設してなるスライド式の多芯筆記具に関する。
【背景技術】
【０００２】
従来から、特開２００１−２３９７９１号公報「スライド式の多芯筆記具」に開示しているように、軸筒内に、複数の筆記体を配設し、各筆記体の後端に、コイルスプリングにより軸筒後端方向に付勢して配設したスライド部材を、各スライド部材に形成した隆起部が、軸筒後端部に形成した窓部より突出した状態で摺動自在に収納し、一方の隆起部を軸筒先端方向にスライドせしめることで、一方のスライド部材に形成した係止部が、軸筒後端部内に形成した被係止部に係止することで、一方の筆記体の先端部を軸筒先端開口部より突出し、他方の隆起部を軸筒先端方向にスライドせしめることで、他方のスライド部材に形成した解除突起が、一方のスライド部材に当接し、被係止部に係止していた一方の係止部の係止を解除し、さらに他方の隆起部を軸筒先端方向にスライドせしめ、他方の係止部を軸筒後端部に形成した他方の被係止部に係止することで、他方の筆記体の先端部を軸筒先端開口部より突出可能なスライド式の多芯筆記具はよく知られている。
【０００３】
また、特開２００１−２３９７９１号公報「スライド式の多芯筆記具」に図示してあるように、従来のスライド式の多芯筆記具において、スライド部材の隆起部の形状は、指に当接し易く、且つ安全性を考慮して、縦断面を略円弧形状としてある。
【０００４】
ところで、スライド式の多芯筆記具は、隆起部に指を当接してスライドさせるため、操作性を高めるには、隆起部の高さを高くして隆起部の窓部からの突出量を多くする、或いは幅を厚くすることによって、隆起部が指に当接し易くすることが好ましい。
【０００５】
また、特開平８−１８７９８９号「ノック式筆記具のノック部材」に、隆起部の頂面に幅方向に向かって延びる凹部を形成し、隆起部を軸筒先端方向にスライドするときに、指が滑り難くなるための滑り止め部を有するスライド部材が図示されている。
【特許文献１】「特開２００１−２３９７９１号公報」
【特許文献２】「特開平８−１８７９８９号公報」
【発明の開示】
【発明が解決しようとする課題】
【０００６】
しかし、隆起部の高さを高く、或いは幅を厚くすると、隆起部の体積が多くなり、成形時の圧力差や固化する冷却時間差によって、隆起部にヒケや歪が発生し易いことも事実である。
【０００７】
また、特許文献２のスライド部材を操作するには、軸筒の軸心に対して指を平行に位置させ、軸心方向への押圧しながら軸筒先端方向へのスライドする力が必要であるのに対し、特許文献１のスライド部材は、隆起部の後端側に指を当接し、斜め方向又は軸筒後端方向から押圧力を加えればスライド部材を軸筒先端開口部方向へスライドできるため、軸心方向への押圧力を必要せず操作性がよい。
【０００８】
更にまた、軸筒は一般的に円筒体であるため、隆起部を操作する時に、回転方向への力が加わり、隆起部から指が外れてしまうことがあるため、軸筒を強く把持しながら隆起部を操作する必要があった。
【０００９】
本発明の目的は、スライド部材の隆起部を軸筒先端方向にスライドし易く、且つ隆起部にヒケや歪みが発生し難いスライド式の多芯筆記具を提供することにある。
【課題を解決するための手段】
【００１０】
本発明は前記目的を達成するために、軸筒内に、複数の筆記体をコイルスプリングにより軸筒後端方向に付勢し配設し、各筆記体の後端に装着したスライド部材の隆起部が、軸筒後端部に一体または付設部材に形成した窓部より外方に突出した状態で摺動自在に収納し、前記隆起部を軸筒先端方向にスライドすることによって、前記筆記体の筆記先端部を軸筒先端開口部より出没可能なスライド式の多芯筆記具において、前記スライド部材の隆起部が、縦断面を略円弧形状とするとともに、少なくとも前記隆起部の頂面に、軸筒先端方向に向かって延びる凹部を形成したことを特徴とする。
【００１１】
また、前記隆起部の凹部の壁面が、略円弧形状であることを特徴とする。
【発明の効果】
【００１２】
本発明は、スライド部材の隆起部を軸筒先端方向にスライドし易く、且つ隆起部にヒケや歪みが発生し難いスライド式の多芯筆記具を提供することができた。
【発明を実施するための最良の形態】
【００１３】
本発明の実施例を、図面を用いて説明する。同部材、同箇所を示すものに対しては、同符号を付してある。
【００１４】
本発明のスライド式の多芯筆記具１は、前軸２の後端部に後軸３を螺着し、この後軸３の後端に弾発部材１３により後方に付勢して摺動可能に摺動体４を配設し、前軸２、後軸３および摺動体４内に、ボールペンＡとシャープペンシルＢを、コイルスプリング１４、１５により後方に付勢させ収納している。
【００１５】
ボールペンＡは、インキ収容筒６の先端に、ボール８を回転自在に抱持したチップ部材７を圧入装着してある。シャープペンシルＢは、鉛芯ケース９に先端パイプ１０を嵌着してある。また、インキ収容筒６および鉛芯ケース１０の後端開口部には、操作体となるスライド部材１１、１２の先端部を圧入装着し、隆起部１１ａ、１２ａが、摺動体４に形成した窓部４ａから軸筒の外周面より突出するように保持してある。また、摺動体４の後端部には頭冠５を装着してある。
【００１６】
シャープペンシルＢを使用する際には、前軸２又は後軸３を把持し、隆起部６の後端側に指を当接し、隆起部１２ａを前軸２の先端開口部２ａ方向にスライドせしめることで、スライド部材１２の係止部１２ｂが摺動体４に形成した被被子部４ｂに係止することにより、シャープペンシルＢの先端パイプ１０を前軸２の先端開口部２ａから突出させ、摺動体４を前軸２の先端開口部２ａ方向に押圧して鉛芯を繰り出して使用する。
【００１７】
シャープペンシルＢの先端パイプ１０を前軸２の先端開口部２ａから突出した状態から、ボールペンＡを使用する際には、前軸２又は後軸３を把持し、隆起部１１の後端側に指を当接し、隆起部１１ａを前軸２の先端開口部２ａ方向にスライドせしめることで、スライド部材１１の解除突起１１ｃが、被係止部に係止しているスライド部材１２の玉部１２ｄに当接し、係止部１２ｂを押し出し、スライド部材１２の係止を解除させると、スライド部材１２は、コイルスプリング１５の弾発力によって元の状態に戻る。さらに隆起部１１ａを前軸先端開口部２ａ方向に押圧せしめることで、スライド部材１１の係止部１１ｂが被係止部４ｂに係止して、ボールペンＡのチップ部材７を突出させて使用することができる。
【００１８】
各スライド部材１１、１２の隆起部１１ａ、１２ａは、縦断面形状を円弧形状としてあるので、隆起部１１ａ、１２ａの後端側に指が当接し易く、且つ安全な形状であり、隆起部１１ａ、１２ａを指で操作する時に、隆起部１１ａ、１２ａの後端側に当接し押圧力を加え（矢印Ａ方向）ながら、前軸２の先端開口部２ａ方向に押圧（矢印Ｂ方向）させることによりスライド部材１１、１２を前軸２の先端開口部２ａ方向にスライドせしめ、ボールペンＡ及びシャープペンシルＢを容易に出没可能であるため、軸心Ｊ方向への（矢印Ｃ方向）への押圧力を加えながら押圧しなくてもスライド操作することができる。
【００１９】
また、本発明のスライド式の多芯筆記具１は、スライド部材１１、１２の隆起部１１ａ、１２ａの頂面に、軸筒先端方向に向かって延びる凹部Ｈを形成することによって、隆起部１１ａ、１２ａを操作する時に、回転方向Ｄへの力が加わっても、凹部Ｈによって隆起部１１ａ、１２ａから指が外れ難いため、強く前軸２又は後軸３を把持する必要がない。
【００２０】
また、隆起部１１ａ、１２ａの頂面に、前軸２の先端開口部２ａ方向に向かって延びる凹部Ｈを形成することによって、隆起部１１ａ、１２ａの体積が少なくなり、成形時の圧力差や固化する冷却時間差によって、隆起部１１ａ、１２ａにヒケや歪が発生し難くすることができる。
【００２１】
本発明における隆起部の頂面に形成する凹部の形状は、特に限定させるものではないが、凹部の壁面を略円弧形状とすることで、弱い力でも指の腹に密着し易く、スムーズに隆起部を軸筒先端方向にスライドさせることができるので好ましい。また、隆起部の体積の減少及び指と当接する部分が広がるので、頂面の全面に凹部Ｈを形成することが最も好ましい。
【００２２】
尚、本実施例では、便宜上、摺動体に被係止部や窓部を形成しているが、被係止部や窓部を形成した付設部材を軸筒に一体に形成してもよい。
【産業上の利用可能性】
【００２３】
本発明のスライド式の多芯筆記具は、前述したボールペン２本の多芯筆記具に限定されるものではなく、ボールペン２本、３本や４本、あるいはシャープペンシルとボールペンなど、複数の筆記体を配設したスライド式の多芯筆記具に用いることができる。
【図面の簡単な説明】
【００２４】
【図１】実施例１のスライド式の多芯筆記具を示す縦断面図である。
【図２】図１におけるシャープペンシルを突出した状態を示す図である。
【図３】図１における一部省略した要部拡大断面図である。
【図４】図２における一部省略した要部拡大断面図である。
【図５】スライド部材の拡大外観図である。
【図６】図５におけるスライド部材のＥ方向から見た外観図である。
【符号の説明】
【００２５】
１  スライド式の多芯筆記具
２  前軸
２ａ  先端開口部
３  後軸
４  摺動体
４ａ  窓部
４ｂ  被係止部
５  頭冠
６  インキ収容筒
７  ボールペンチップ
８  ボール
９  鉛芯ケース
１０  先端パイプ
１１、１２  スライド部材
１１ａ、１２ａ  隆起部
１１ｂ、１２ｂ  係止部
１１ｃ、１２ｃ  解除突起
１１ｄ、１２ｄ  玉部
１３  弾発部材
１４、１５  コイルスプリング
Ａ  ボールペン
Ｂ  シャープペンシル
Ｈ  凹部
【図１】
2008132706.tif 000003
【図２】
2008132706.tif 000004
【図３】
2008132706.tif 000005
【図４】
2008132706.tif 000006
【図５】
2008132706.tif 000007
【図６】
2008132706.tif 000008